【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
システムであって、
選別チャンバ、シース流体チャネル、およびサンプル流体チャネルと流体連通する、マイクロ流体チャネルと、
前記シース流体チャネルと流体連通するシース蠕動ポンプであって、前記シース蠕動ポンプは、シース流体流速において前記シース流体チャネルを通して流体を送出するように構成される、シース蠕動ポンプと、
ガスを含み、前記シース流体チャネルと流体連通する、シース流体ダンパであって、前記シース流体ダンパは、前記流体チャネル内の流体流に応答して、前記ガスの圧縮および膨張による前記シース流体流速の変動を低減させるように構成される、シース流体ダンパと、
前記サンプル流体チャネルと流体連通するサンプル流体蠕動ポンプであって、前記サンプル流体蠕動ポンプは、サンプル流体流速において前記サンプル流体チャネルを通してサンプル流体を送出するように構成される、サンプル流体蠕動ポンプと、
ガスを含み、前記サンプル流体チャネルと流体連通する、サンプルダンパであって、前記サンプルダンパは、前記サンプル流体チャネル内の流体流に応答して、前記ガスの圧縮および膨張による前記サンプルス流体流速の変動を低減させるように構成される、サンプルダンパと
を備える、システム。
【請求項２】
前記選別チャンバおよび前記シース流体チャネルの少なくとも一部を画定する、使い捨て基板をさらに含む、請求項１に記載のシステム。
【請求項３】
前記シース流体ダンパの少なくとも一部は、前記使い捨て基板上に形成される、請求項２に記載のシステム。
【請求項４】
前記使い捨て基板は、シリコーンを含む、請求項２に記載のシステム。
【請求項５】
前記シース流体流速の前記低減した変動は、平均流速の約１０％未満である、請求項１に記載のシステム。
【請求項６】
前記シース流体流速は、１μｌ／分〜１ｍｌ／分である、請求項１に記載のシステム。
【請求項７】
前記シース流体ダンパは、長方形ガスチャンバ、円筒形ガスチャンバ、卵形ガスチャンバ、および円形ガスチャンバのうちの少なくとも１つを含む、請求項１に記載のシステム。
【請求項８】
前記シース流体ダンパは、前記流体チャネルに沿って直列に配置される少なくとも２つのガスチャンバを含む、請求項１に記載のシステム。
【請求項９】
前記シース流体ダンパは、６０ｍｍ３〜６００ｍｍ３の容積を有する、請求項１に記載のシステム。
【請求項１０】
前記シース流体ダンパは、９５％を上回って前記サンプル流体流速の前記変動を低減させるように構成される、請求項１に記載のシステム。
【請求項１１】
細胞選別システム用の使い捨てカートリッジであって、
基板の中に加工され、選別チャンバと流体連通する、マイクロ流体チャネルであって、前記マイクロ流体チャネルは、流体入口から前記選別チャンバに流体を運搬するように構成される、マイクロ流体チャネルと、
前記流体入口と流体連通するシース流体チャネルと、
前記基板の中に加工され、前記シース流体チャネル内の前記シース流体のシース流速の変動を低減させるように前記シース流体チャネルと流体連通する、シース流体気泡ダンパと、
前記流体入口と流体連通するサンプル流体チャネルと、
前記サンプル流体チャネルと流体連通するサンプル流体気泡ダンパであって、前記サンプル流体気泡ダンパは、前記サンプル流体チャネル内の前記サンプル流体のサンプル流速の変動を低減させるように構成される、サンプル流体気泡ダンパと
を備える、使い捨てカートリッジ。
【請求項１２】
前記シース流体気泡ダンパは、ガスを含み、前記シース流体チャネル内の流体流に応答して、前記ガスの圧縮および膨張による前記シース流体チャネル内の前記シース流体のシース流体流速の変動を低減させるように構成される、請求項１１に記載の使い捨てカートリッジ。
【請求項１３】
前記サンプル流体気泡ダンパは、第２のガスを含み、前記サンプル流体チャネル内の流体流に応答して、前記第２のガスの圧縮および膨張による前記サンプル流体の前記サンプル流速の変動を低減させるように構成される、請求項１１に記載の使い捨てカートリッジ。
【請求項１４】
前記シース流速の前記変動は、前記シース流体の平均シース流速の１０％未満である、請求項１１に記載の使い捨てカートリッジ。
【請求項１５】
前記サンプル流速は、１μｌ／分〜１ｍｌ／分である、請求項１１に記載の使い捨てカートリッジ。
【請求項１６】
前記シース流体気泡ダンパは、長方形ガスチャンバ、円筒形ガスチャンバ、卵形ガスチャンバ、および円形ガスチャンバのうちの少なくとも１つを含む、請求項１１に記載の使い捨てカートリッジ。
【請求項１７】
前記シース流体気泡ダンパは、前記シース流体チャネルに沿って直列に配置される少なくとも２つのガスチャンバを含む、請求項１１に記載の使い捨てカートリッジ。
【請求項１８】
前記シース流体気泡ダンパは、９５％を上回って前記シース流体流速の前記変動を低減させるように構成される、請求項１１に記載の使い捨てカートリッジ。
【請求項１９】
前記シース流体気泡ダンパは、６０ｍｍ３〜６００ｍｍ３の容積を有する、請求項１１に記載の使い捨てカートリッジ。
【請求項２０】
マイクロ流体チップをプライミングする方法であって、前記マイクロ流体チップは、マイクロ流体チャネルを介して選別チャンバと流体連通する入口を含み、前記方法は、
前記入口および前記マイクロ流体チャネルを介して前記選別チャンバの中に脱ガス液体を導入することを含み、前記脱ガス液体は、前記選別チャンバの中に閉じ込められたガスを吸収する、方法。
【請求項２１】
パージポートが前記選別チャンバの垂直に上方にあるように、前記マイクロ流体チップを垂直に搭載することと、
前記パージポートを介して、前記選別チャンバの中に閉じ込められた前記ガスをパージすることと
をさらに含む、請求項２０に記載の方法。
【請求項２２】
前記選別チャンバは、１０ｍｍ〜３０ｍｍの直径と、２ｍｍ〜５ｍｍの深度とを有する、請求項２０に記載の方法。
【手続補正２】
【補正対象書類名】明細書
【補正対象項目名】０００９
【補正方法】変更
【補正の内容】
【０００９】
以下でより詳細に議論される前述の概念および付加的概念の全ての組み合わせ（そのような概念は、相互に矛盾しないことを前提とする）は、本明細書に開示される本発明の主題の一部と見なされることを理解されたい。特に、本開示の最後に見られる請求される主題の全ての組み合わせは、本明細書に開示される本発明の主題の一部と見なされる。また、参照することによって組み込まれる任意の開示にも見られ得る、本明細書で明示的に採用される専門用語は、本明細書に開示される特定の概念と最も一貫した意味が与えられるべきであることを理解されたい。
本願明細書は、例えば、以下の項目も提供する。
（項目１）
選別チャンバと、
前記選別チャンバと流体連通する流体チャネルと、
前記流体チャネルと流体連通する蠕動ポンプであって、流体流速において前記流体チャネルを通して流体を前記選別チャンバに送出するように構成される、蠕動ポンプと、
ガスを含み、前記流体チャネルと流体連通する流体ダンパであって、前記流体チャネル内の流体流に応答して、前記ガスの圧縮および膨張による前記流体流速の変動を低減させるように構成される、流体ダンパと、
を備える、システム。
（項目２）
前記選別チャンバおよび前記流体チャネルの少なくとも一部を画定する、使い捨て基板をさらに含む、項目１に記載のシステム。
（項目３）
前記流体ダンパの少なくとも一部は、前記使い捨て基板上に形成される、項目２に記載のシステム。
（項目４）
前記使い捨て基板は、シリコーンを含む、項目１に記載のシステム。
（項目５）
前記流体流速の前記低減した変動は、約１０％未満である、項目１に記載のシステム。
（項目６）
前記流体流速は、約１μｌ／分〜約１ｍｌ／分である、項目１に記載のシステム。
（項目７）
前記流体ダンパは、長方形ガスチャンバ、円筒形ガスチャンバ、卵形ガスチャンバ、および円形ガスチャンバのうちの少なくとも１つを含む、項目１に記載のシステム。
（項目８）
前記流体ダンパは、前記流体チャネルに沿って直列に配置される少なくとも２つのガスチャンバを含む、項目１に記載のシステム。
（項目９）
前記流体ダンパは、約６０ｍｍ３〜約６００ｍｍ３の容積を有する、項目１に記載のシステム。
（項目１０）
前記サンプル流体ダンパは、約９５％を上回って前記サンプル流体流速の前記変動を低減させるように構成される、項目１に記載のシステム。
（項目１１）
前記流体チャネルは、サンプル流体チャネルであり、前記流体流速は、サンプル流体流速であり、前記蠕動ポンプは、サンプル流体蠕動ポンプであり、
前記選別チャンバと流体連通するシース流体チャネルと、
前記シース流体チャネルと流体連通するシース流体蠕動ポンプであって、シース流体流速において前記シース流体チャネルを通してシース流体を前記選別チャンバに送出するように構成される、シース流体蠕動ポンプと、
第２のガスを含み、前記シース流体チャネルと流体連通するシースダンパであって、前記シース流体チャネル内の流体流に応答して、前記第２のガスの圧縮および膨張による前記シース流体流速の変動を低減させるように構成される、シース流体ダンパと、
をさらに備える、項目１に記載のシステム。
（項目１２）
基板と、
前記基板の中に加工される選別チャンバと、
前記基板の中に加工され、流体入口から前記選別チャンバに流体を運搬するように前記選別チャンバと流体連通する、流体チャネルと、
前記基板の中に加工され、前記流体チャネルを介した前記流体入口から前記選別チャンバまでの前記流体の流速の変動を低減させるように前記流体チャネルと流体連通する、流体気泡ダンパと、
を備える、細胞選別システム用の使い捨てカートリッジ。
（項目１３）
前記流体気泡ダンパは、ガスを含み、前記流体チャネル内の流体流に応答して、前記ガスの圧縮および膨張による前記流体チャネル内の前記流体の流体流速の変動を低減させるように構成される、項目１２に記載の使い捨てカートリッジ。
（項目１４）
前記流体は、サンプル流体であり、前記流体チャネルは、サンプル流体チャネルであり、前記流体流速は、サンプル流体流速であり、
シース流体入口から前記選別チャンバにシース流体を運搬するように前記選別チャンバと流体連通する、シース流体チャネルと、
前記シース流体チャネルを介した前記シース流体入口から前記選別チャンバまでの前記シース流体のシース流速の変動を低減させるように前記シース流体チャネルと流体連通する、シース流体気泡ダンパと、
をさらに備える、項目１２に記載の使い捨てカートリッジ。
（項目１５）
前記シース流体気泡ダンパは、第２のガスを含み、前記シース流体チャネル内の流体流に応答して、前記第２のガスの圧縮および膨張による前記シース流体の前記シース流速の変動を低減させるように構成される、項目１４に記載の使い捨てカートリッジ。
（項目１６）
前記低減した流速の前記変動は、約１０％未満である、項目１２に記載の使い捨てカートリッジ。
（項目１７）
前記流速は、約１μｌ／分〜約１ｍｌ／分である、項目１２に記載の使い捨てカートリッジ。
（項目１８）
前記流体気泡ダンパは、長方形ガスチャンバ、円筒形ガスチャンバ、卵形ガスチャンバ、および円形ガスチャンバのうちの少なくとも１つを含む、項目１２に記載の使い捨てカートリッジ。
（項目１９）
前記流体気泡ダンパは、前記流体チャネルに沿って直列に配置される少なくとも２つのガスチャンバを含む、項目１２に記載の使い捨てカートリッジ。
（項目２０）
前記流体気泡ダンパは、約９５％を上回って前記流体流速の前記変動を低減させるように構成される、項目１２に記載の使い捨てカートリッジ。
（項目２１）
前記流体気泡ダンパは、約６０ｍｍ３〜約６００ｍｍ３の容積を有する、項目１２に記載の使い捨てカートリッジ。
（項目２２）
マイクロ流体チップをプライミングする方法であって、前記マイクロ流体チップは、マイクロ流体チャネルを介して選別チャンバと流体連通する入口を含み、
前記入口および前記マイクロ流体チャネルを介して前記選別チャンバの中に脱ガス液体を導入するステップであって、前記脱ガス液体は、前記選別チャンバの中に閉じ込められたガスを吸収する、ステップ
を含む、方法。
（項目２３）
パージポートが前記選別チャンバの垂直に上方にあるように、前記マイクロ流体チップを垂直に搭載するステップと、
前記パージポートを介して、前記選別チャンバの中に閉じ込められた前記ガスをパージするステップと、
をさらに含む、項目２２に記載の方法。
（項目２４）
前記選別チャンバは、約１０ｍｍ〜約３０ｍｍの直径と、約２ｍｍ〜約５ｍｍの深度とを有する、項目２２に記載の方法。